(57)【要約】【課題】相手端末装置とが共通に利用できるサービスや機能、共通には利用できないサービスや機能を発呼時、着信時等において確認できるＩＰ端末装置を提供する。【解決手段】通信相手装置の電話番号および当該電話番号に関連付けられた、インターネットサービスプロバイダの名称等を記憶するプロバイダ情報記憶手段１１と、前記通信相手装置からの着呼および／または前記通信相手装置との接続中に、当該通信相手装置の電話番号を前記プロバイダ情報記憶手段からサーチする電話番号サーチ手段１２と、電話番号サーチ手段がサーチした前記通信相手装置の電話番号が前記インターネットサービスプロバイダの何れかを示す番号であるときは、当該インターネットサービスプロバイダを特定する名称等を報知するプロバイダ情報報知手段１３とを備えたことを特徴とする。【選択図】    図１
2004289318.tif 000002
【特許請求の範囲】
【請求項１】
通信相手装置の電話番号、および当該電話番号に関連付けられたインターネットサービスプロバイダの名称・図形、および／または前記インターネットサービスプロバイダで利用できる機能の名称・図形を記憶するプロバイダ情報記憶手段と、
前記通信相手装置からの着呼および／または前記通信相手装置との接続中に、当該通信相手装置の電話番号を前記プロバイダ情報記憶手段からサーチする電話番号サーチ手段と、
前記電話番号サーチ手段がサーチした前記通信相手装置の電話番号が前記インターネットサービスプロバイダの何れかを示す番号であるときは、当該インターネットサービスプロバイダを特定する名称・図形、および／または前記インターネットサービスプロバイダで利用できる機能の名称・図形を報知するプロバイダ情報報知手段と、
を備えたことを特徴とするＩＰ端末装置。
【請求項２】
通信相手装置の電話番号、および当該電話番号に関連付けられたインターネットサービスプロバイダを特定する名称・図形および／または前記インターネットサービスプロバイダで利用できる機能の名称・図形を記憶するプロバイダ情報記憶手段と、
前記通信相手装置への発呼を行う発呼手段を備え、
前記発呼手段による前記通信相手装置への発呼の際に、当該通信相手装置の電話番号を前記プロバイダ情報記憶手段からサーチする電話番号サーチ手段と、
前記電話番号サーチ手段がサーチした前記通信相手装置の電話番号が前記インターネットサービスプロバイダの何れかを示す番号であるときは、当該インターネットサービスプロバイダを特定する名称・図形、および／または前記インターネットサービスプロバイダで利用できる機能の名称・図形を報知するプロバイダ情報報知手段と、
を備えたことを特徴とするＩＰ端末装置。
【請求項３】
通信相手装置の電話番号、および当該電話番号に関連付けられたインターネットサービスプロバイダを特定する名称・図形および／または前記インターネットサービスプロバイダで利用できる機能の名称・図形を記憶するプロバイダ情報記憶手段と、
前記通信相手装置からの着呼および／または前記通信相手装置との接続中、および前記発呼手段による前記通信相手装置への発呼の際に、当該通信相手装置の電話番号を前記プロバイダ情報記憶手段からサーチする電話番号サーチ手段と、
前記電話番号サーチ手段がサーチした前記通信相手装置の電話番号が前記インターネットサービスプロバイダの何れかを示す番号であるときは、当該インターネットサービスプロバイダを特定する名称・図形、および／または前記インターネットサービスプロバイダで利用できる機能の名称・図形を報知するプロバイダ情報報知手段と、
を備えたことを特徴とするＩＰ端末装置。
【請求項４】
通信相手装置の電話番号、および当該電話番号に関連付けられたインターネットサービスプロバイダを特定する名称・図形および／または前記インターネットサービスプロバイダで利用できる機能の名称・図形を記憶するプロバイダ情報記憶手段と、
前記通信相手装置との接続中、および／または前記発呼手段による前記通信相手装置への発呼の際に、当該通信相手装置の電話番号を前記プロバイダ情報記憶手段からサーチする電話番号サーチ手段と、
自通信端末の電話番号が示す前記インターネットサービスプロバイダと、前記通信相手装置の電話番号が示す前記インターネットサービスプロバイダとが一致し、または前記通信相手装置の電話番号が示す前記インターネットサービスプロバイダが特定のグループに属するときは、当該一致を報知し、または当該特定のグループ名を報知するプロバイダ情報報知手段と、
を備えたことを特徴とするＩＰ端末装置。
【請求項５】
通信相手装置の電話番号、および当該電話番号に関連付けられたインターネットサービスプロバイダを特定する名称・図形および／または前記インターネットサービスプロバイダで利用できる機能の名称・図形を記憶するプロバイダ情報記憶手段と、
前記通信相手装置からの着呼および／または前記通信相手装置との接続中に、当該通信相手装置の電話番号を前記プロバイダ情報記憶手段からサーチする電話番号サーチ手段と、
自通信端末の電話番号が示す前記インターネットサービスプロバイダと、前記通信相手装置の電話番号が示す前記インターネットサービスプロバイダとが一致するとき、および／または前記通信相手装置の電話番号が示す前記インターネットサービスプロバイダが特定のグループに属するときは、所定の同一または異なる着信音を鳴動させるプロバイダ情報報知手段と、
を備えたことを特徴とするＩＰ端末装置。
【請求項６】
通信相手装置の電話番号、および当該電話番号に関連付けられたインターネットサービスプロバイダを特定する名称・図形および／または前記インターネットサービスプロバイダで利用できる機能の名称・図形を記憶するプロバイダ情報記憶手段と、
前記通信相手装置からの着呼および／または前記通信相手装置との接続中に、当該通信相手装置の電話番号を前記プロバイダ情報記憶手段からサーチする電話番号サーチ手段と、
自通信端末の電話番号が示す前記インターネットサービスプロバイダと、前記通信相手装置の電話番号が示す前記インターネットサービスプロバイダとが一致するとき、および／または前記通信相手装置の電話番号が示す前記インターネットサービスプロバイダが特定のグループに属するときは、当該プロバイダが使用できる機能の名称・図形を表示するプロバイダ情報報知手段と、
を備えたことを特徴とするＩＰ端末装置。
【請求項７】
通信相手装置の電話番号、および当該電話番号に関連付けられたインターネットサービスプロバイダを特定する名称・図形および／または前記インターネットサービスプロバイダで利用できる機能の名称・図形を記憶するプロバイダ情報記憶手段と、
前記通信相手装置からの着呼および／または前記通信相手装置との接続中に、当該通信相手装置の電話番号を前記プロバイダ情報記憶手段からサーチする電話番号サーチ手段と、
自通信端末の電話番号が示す前記インターネットサービスプロバイダと、前記通信相手装置の電話番号が示す前記インターネットサービスプロバイダとが一致しないとき、および／または前記通信相手装置の電話番号が示す前記インターネットサービスプロバイダが特定のグループに属さないときは、その旨を報知するプロバイダ情報報知手段と、
を備えたことを特徴とする記載のＩＰ端末装置。
【請求項８】
前記電話番号サーチ手段は、電話番号の数字列にプロバイダを示す番号が含まれているがどうか判断することを特徴とする請求項１から７の何れかに記載のＩＰ端末装置。
【請求項９】
前記電話番号サーチ手段は、前記通信相手装置の電話番号うち、先頭の３桁がＩＰ電話の電話番号であるか否かにより、当該通信相手装置の電話番号が前記インターネットサービスプロバイダを示す電話番号か否かを判断することを特徴とする請求項８に記載のＩＰ端末装置。
【請求項１０】
前記電話番号サーチ手段は、前記通信相手装置の電話番号うち、先頭の３桁がＩＰ電話の電話番号であるときは、当該先頭の３桁に続く４桁の番号から前記インターネットサービスプロバイダを特定することを特徴とする請求項９に記載のＩＰ端末装置。
【請求項１１】
ＩＰ電話機であることを特徴とする請求項１から１０の何れかに記載のＩＰ端末装置。
【発明の詳細な説明】
【０００１】
【従来の技術】
本発明は、ＩＰ電話、インターネットファックス等の自通信端末と、相手端末装置とが共通に利用できるサービスや機能、共通には利用できないサービスや機能を発呼時、着信時等において確認できるＩＰ端末装置に関する。
【０００２】
【従来の技術】
近年、伝送媒体としてＡＤＳＬ（Ａｓｙｍｍｅｔｒｉｃ  Ｄｉｇｉｔａｌｓｕｂｓｃｒｉｂｅｒ  Ｌｉｎｅ）等のｘＤＳＬ（ｘ  Ｄｉｇｉｔａｌ  Ｓｕｂｓｃｒｉｂｅｒ  Ｌｉｎｅ）を使用したＩＰ電話（電話をかける相手との間の通信経路を、  ＨＹＰＥＲＬＩＮＫ  ”ｈｔｔｐ：／／ｅ−ｗｏｒｄｓ．ｊｐ／ｗ／ＩＰ．ｈｔｍｌ”  ＩＰプロトコルベースで構築した電話ネットワークを利用した電話）が普及している。
【０００３】
上記のＩＰ電話はＶｏＩＰ（Ｖｏｉｃｅ  ｏｖｅｒ  ＩＰ）技術を利用してデジタルで通話を実現するものであるが、この種のＩＰ（インターネットプロトコル）を利用した電話では、通常、各端末は公衆回線、インターネットサービスプロバイダを介してインターネットに接続される。
【０００４】
【発明が解決しようとする課題】
ところが、インターネットサービスプロバイダによっては、提供しているサービスや、利用できる機能が必ずしも同じではない。また、ＩＰ電話機には、他のＩＰ電話機との間で通話が行われることもある。
【０００５】
たとえば、ＩＰ電話に通信障害のトラブルが生じたときに、通信相手端末のプロバイダに原因がある場合には、通信相手端末のプロバイダを容易に知ることはできないので、上記トラブルに対応ができない。
【０００６】
また、通信相手端末と自通信端末のインターネットサービスプロバイダが同じ場合や、同一の系列の業者である場合には、特有のサービスを使用することができる場合がある。通信相手端末のプロバイダが予めわからないと、通信相手端末との間で、適切なサービスを選択し、あるいは適切な機能を利用することができない。
【０００７】
ＩＰ電話の問題点の１つとして通話品質、接続品質（インターネットサービスプロバイダ間の接続互換性）が不安定となることが多々あることが挙げられる。特に、プロバイダ業者が数多く設立され、ＩＰ電話分野に参入するようになると、上記の問題がより顕著になり、今後のＩＰ電話の普及に伴い深刻な問題となる可能性がある。
【０００８】
本発明の目的は、相手端末装置とが共通に利用できるサービスや機能、共通には利用できないサービスや機能を発呼時、着信時等において確認できるＩＰ端末装置を提供することにある。
【０００９】
【課題を解決するための手段】
本発明は、通信相手装置の電話番号、および当該電話番号に関連付けられた、インターネットサービスプロバイダの名称・図形および／または前記インターネットサービスプロバイダで利用できる機能の名称・図形を記憶するプロバイダ情報記憶手段と、前記通信相手装置からの着呼および／または前記通信相手装置との接続中に、当該通信相手装置の電話番号を前記プロバイダ情報記憶手段からサーチする電話番号サーチ手段と、前記電話番号サーチ手段がサーチした前記通信相手装置の電話番号が前記インターネットサービスプロバイダの何れかを示す番号であるときは、当該インターネットサービスプロバイダを特定する名称・図形、および／または前記インターネットサービスプロバイダで利用できる機能の名称・図形（あるいはそれに相当するもの）を報知するプロバイダ情報報知手段とを備えたことを特徴とする。
【００１０】
ここで、インターネットサービスプロバイダを特定する名称・図形には、これらに相当する名称・図形が含まれる。また、インターネットサービスプロバイダで利用できる機能の名称・図形には、これらに相当する名称・図形が含まれる。
【００１１】
本発明のＩＰ端末装置では、プロバイダ名を知ることができるので、トラブル等があった場合には、プロバイダ名を特定してトラブル解決等の対応ができる。また、自通信端末と通信相手端末とが、同じプロバイダであれば固有の機能を使用でき、電話料金が低減できる等のサービスを受けることができる。したがって、本発明により、効率が高いＩＰ端末装置の利用ができる。
【００１２】
本発明のＩＰ端末装置では、通信相手装置の電話番号、および当該電話番号に関連付けられた、インターネットサービスプロバイダを特定する名称・図形および／または前記インターネットサービスプロバイダで利用できる機能の名称・図形を記憶するプロバイダ情報記憶手段と、前記通信相手装置への発呼を行う発呼手段を備え、前記発呼手段による前記通信相手装置への発呼の際に、当該通信相手装置の電話番号を前記プロバイダ情報記憶手段からサーチする電話番号サーチ手段と、前記電話番号サーチ手段がサーチした前記通信相手装置の電話番号が前記インターネットサービスプロバイダの何れかを示す番号であるときは、当該インターネットサービスプロバイダを特定する名称・図形（あるいはそれに相当するもの）、および／または前記インターネットサービスプロバイダで利用できる機能の名称・図形（あるいはそれに相当するもの）を報知するプロバイダ情報報知手段とを備えたことを特徴とする。
【００１３】
本発明のＩＰ端末装置は、通信相手装置の電話番号、および当該電話番号に関連付けられた、インターネットサービスプロバイダを特定する名称・図形および／または前記インターネットサービスプロバイダで利用できる機能の名称・図形を記憶するプロバイダ情報記憶手段と、前記通信相手装置からの着呼および／または前記通信相手装置との接続中、および前記発呼手段による前記通信相手装置への発呼の際に、当該通信相手装置の電話番号を前記プロバイダ情報記憶手段からサーチする電話番号サーチ手段と、前記電話番号サーチ手段がサーチした前記通信相手装置の電話番号が前記インターネットサービスプロバイダの何れかを示す番号であるときは、当該インターネットサービスプロバイダを特定する名称・図形（あるいはそれに相当するもの）、および／または前記インターネットサービスプロバイダで利用できる機能の名称・図形（あるいはそれに相当するもの）を報知するプロバイダ情報報知手段とを備えたことを特徴とする。
【００１４】
本発明のＩＰ端末装置は、通信相手装置の電話番号、および当該電話番号に関連付けられた、インターネットサービスプロバイダを特定する名称・図形および／または前記インターネットサービスプロバイダで利用できる機能の名称・図形を記憶するプロバイダ情報記憶手段と、前記通信相手装置との接続中、および／または前記発呼手段による前記通信相手装置への発呼の際に、当該通信相手装置の電話番号を前記プロバイダ情報記憶手段からサーチする電話番号サーチ手段と、自通信端末の電話番号が示す前記インターネットサービスプロバイダと、前記通信相手装置の電話番号が示す前記インターネットサービスプロバイダとが一致し、または前記通信相手装置の電話番号が示す前記インターネットサービスプロバイダが特定のグループに属するときは、当該一致を報知し、または当該特定のグループ名を報知するプロバイダ情報報知手段とを備えたことを特徴とする。
【００１５】
本発明では、インターネットサービスプロバイダが同じかあるいは同じグループである場合には、特有のサービス、機能を使用することができるので、それを知ることで効率のよい条件でサービスを受けることができる。
【００１６】
本発明のＩＰ端末装置は、通信相手装置の電話番号、および当該電話番号に関連付けられた、インターネットサービスプロバイダを特定する名称・図形および／または前記インターネットサービスプロバイダで利用できる機能の名称・図形を記憶するプロバイダ情報記憶手段と、前記通信相手装置からの着呼および／または前記通信相手装置との接続中に、当該通信相手装置の電話番号を前記プロバイダ情報記憶手段からサーチする電話番号サーチ手段と、自通信端末の電話番号が示す前記インターネットサービスプロバイダと、前記通信相手装置の電話番号が示す前記インターネットサービスプロバイダとが一致するとき、および／または前記通信相手装置の電話番号が示す前記インターネットサービスプロバイダが特定のグループに属するときは、所定の同一または異なる着信音を鳴動させるプロバイダ情報報知手段とを備えたことを特徴とする。
【００１７】
本発明のＩＰ端末装置は、通信相手装置の電話番号、および当該電話番号に関連付けられた、インターネットサービスプロバイダを特定する名称・図形および／または前記インターネットサービスプロバイダで利用できる機能の名称・図形を記憶するプロバイダ情報記憶手段と、前記通信相手装置からの着呼および／または前記通信相手装置との接続中に、当該通信相手装置の電話番号を前記プロバイダ情報記憶手段からサーチする電話番号サーチ手段と、自通信端末の電話番号が示す前記インターネットサービスプロバイダと、前記通信相手装置の電話番号が示す前記インターネットサービスプロバイダとが一致するとき、および／または前記通信相手装置の電話番号が示す前記インターネットサービスプロバイダが特定のグループに属するときは、当該プロバイダが使用できる機能の名称・図形を表示するプロバイダ情報報知手段とを備えたことを特徴とする。
【００１８】
本発明の通信相手装置は、電話番号、および当該電話番号に関連付けられた、インターネットサービスプロバイダを特定する名称・図形および／または前記インターネットサービスプロバイダで利用できる機能の名称・図形を記憶するプロバイダ情報記憶手段と、前記通信相手装置からの着呼および／または前記通信相手装置との接続中に、当該通信相手装置の電話番号を前記プロバイダ情報記憶手段からサーチする電話番号サーチ手段と、自通信端末の電話番号が示す前記インターネットサービスプロバイダと、前記通信相手装置の電話番号が示す前記インターネットサービスプロバイダとが一致しないとき、および／または前記通信相手装置の電話番号が示す前記インターネットサービスプロバイダが特定のグループに属さないときは、その旨を報知するプロバイダ情報報知手段とを備えたことを特徴とする。
【００１９】
本発明のＩＰ端末装置では、通信相手端末のプロバイダとの間で、特定のサービスの提供を受けることができないこと、特定の機能を利用できないこと等が通信の際の明確になる。
【００２０】
本発明のＩＰ端末装置では、電話番号サーチ手段は、電話番号の数字列にプロバイダを示す番号が含まれているがどうかにより、相手通信端末のプロバイダを特定することができる。また、電話番号サーチ手段は、前記通信相手装置の電話番号うち、先頭の３桁がＩＰ電話の電話番号であるか否かにより、当該通信相手装置の電話番号が前記インターネットサービスプロバイダを示す電話番号であるか否かを判断することができる。この場合において、本発明のＩＰ端末装置では、前記電話番号サーチ手段は、前記通信相手装置の電話番号うち、先頭の３桁がＩＰ電話の電話番号であるときは、当該先頭の３桁に続く４桁の番号から前記インターネットサービスプロバイダを特定することができる。
【００２１】
本発明のＩＰ端末装置は、典型的にはＩＰ電話機とすることができる。
【００２２】
【発明の実施の形態】
図１は、本発明のＩＰ端末装置の基本的構成を示すブロック図である。図１において、ＩＰ端末装置１は、プロバイダ情報記憶手段１１と、電話番号サーチ手段１２と、プロバイダ情報報知手段１３と、送受信手段１４とを備えている。
【００２３】
プロバイダ情報記憶手段１１は、具体的には、図２および図３において後述するＲＡＭ１０３に対応する。もちろん、プロバイダ情報記憶手段１１は、ＲＡＭ１０３に限らず、磁気ディスク等の他の記憶手段を用いることもできる。
【００２４】
電話番号サーチ手段１２は、具体的には、図２および図３において後述するＣＰＵ１０１およびＲＯＭ１０２に格納されたプログラム（電話番号サーチプログラム）が対応する。
【００２５】
プロバイダ情報報知手段１３は、具体的には、図２および図３において後述するＣＰＵ１０１、ＲＯＭ１０２に格納されたプログラム（プロバイダ情報報知プログラム）およびディスプレイ，ＬＥＤ，スピーカ，バイブレータ等が対応する。
【００２６】
送受信手段１４は、具体的には、図２および図３において後述するＣＰＵ１０１、ＲＯＭ１０２に格納されたプログラム（送受信手段プログラム）、ＩＰパケット手段１０７および回線接続Ｉ／Ｆ手段１０８が対応する。
【００２７】
ＩＰ端末装置１は通信回線５０１，インターネットサービスプロバイダ（以下、単に「プロバイダ」と言う）４１を介してインターネット６００に接続され、他のＩＰ端末装置（通信相手装置３１）は、通信回線５０２，プロバイダ４２を介してインターネット６００に接続されている。また、図１では通信回線５０１に通信相手装置３２（非ＩＰ端末装置）が接続されている。
【００２８】
言うまでもないが、図１では、インターネット６００には２つのプロバイダ４１，４２のみが接続されているが実際には多数が接続され、プロバイダ４１には１つのＩＰ端末装置１のみが接続されているが実際には多数が接続され、プロバイダ４２には１つの通信相手装置３１のみが接続されているが実際には多数が接続され、通信回線５０１には１つの非ＩＰ端末装置のみが接続されているが実際には多数が接続されている。
【００２９】
プロバイダ情報記憶手段１１は、通信相手装置３の電話番号、および電話番号に関連付けられた、プロバイダ４１，４２等を特定する名称・図形および／またはプロバイダ４１，４２等で利用できる機能の名称・図形を記憶する。
【００３０】
電話番号サーチ手段１２は、通信相手装置３１，３２等からの着呼や、通信相手装置３１，３２等との接続中に、通信相手装置３１，３２等の電話番号をサーチすることができる。すなわち、電話番号サーチ手段１２は、後述するようにＩＰパケットに埋め込まれている電話番号と取り出し、通信相手装置の電話番号のうち、プロバイダを示す番号が含まれているか否かを判断する。
【００３１】
電話番号に含まれる特定桁の数字列が、プロバイダを示している場合があり、たとえば電話番号サーチ手段１２は、通信相手装置３１，３２等の電話番号うち、先頭の３桁（たとえば、「０５０」）がＩＰ電話の電話番号であるか否かにより、通信相手装置３１，３２等の電話番号がプロバイダを示す電話番号か否かを判断することができる。この場合、電話番号サーチ手段１２は、通信相手装置の電話番号うち、先頭の３桁がＩＰ電話の電話番号であるときは、当該先頭の３桁に続く４桁の番号からプロバイダを特定するようにもできる。
【００３２】
電話番号サーチ手段１２は、非ＩＰ電話（通信相手装置３２）の電話番号ＮＴＴ等のナンバーディスプレイサービスのような電話番号をサーチするようにできる。
【００３３】
プロバイダ情報報知手段１３は、電話番号サーチ手段１２がサーチした通信相手装置３１，３２等の電話番号がプロバイダの何れかを示す番号であるときは、当該プロバイダを特定する名称・図形や当該プロバイダで利用できる機能の名称・図形を報知することができる。プロバイダ情報報知手段１３は、上記名称・図形や機能の名称・図形を、表示器にメッセージで表示したり、ＬＥＤなどによる光で表示したり、その他の音（音声メッセージを含む）等で報知することができる。
【００３４】
また、プロバイダ情報報知手段１３は、自通信端末（ＩＰ電話機１００）の電話番号が示すプロバイダ３１と、通信相手装置の電話番号が示すプロバイダとが一致し、または通信相手装置の電話番号が示すプロバイダが特定のグループに属するときは、当該一致を報知し、または当該特定のグループ名を報知するようにもできる。たとえば、プロバイダ同士があるグループ（たとえば、提携関係、同じ資本関係にある等）に属するかどうかは、電話番号とプロバイダ名をグループ化してプロバイダ情報記憶手段１１に記憶しておき、プロバイダ情報報知手段１３がそれを特定して判断する。またそのプロバイダ情報記憶手段１１は、新しいテーブル（電話番号リスト等）を持っている装置との間で、特別な制御用プロトコルによりテーブルを受信することにより、データを書き換えることができる。
【００３５】
さらに、プロバイダ情報報知手段１３は、自通信端末（ＩＰ電話機１００）の電話番号が示すプロバイダと、通信相手装置の電話番号が示すプロバイダとが一致するとき、あるいは通信相手装置の電話番号が示すプロバイダが特定のグループに属するときは、所定の同一または異なる着信音を図示しない着信音発生手段から発生させる（鳴動させる）ことができる。たとば、着信音発生手段は、通常の着信音、楽曲（メロディ）、可聴音をサンプリングした音、ブザーやスピーカ等で音を発生させる。なお、プロバイダ情報報知手段１３が、異なる着信音を発生させるときは、いわゆる鳴り分けであるが、バイブレータにより、この鳴り分けを行うこともできる。
【００３６】
またさらに、プロバイダ情報報知手段１３は、自通信端末（ＩＰ電話機１００）の電話番号が示す前記プロバイダと、通信相手装置の電話番号が示すプロバイダとが一致しないとき、および／または前記通信相手装置の電話番号が示す前記プロバイダが特定のグループに属さないときは、その旨を報知するようにもできる。
【００３７】
送受信手段１４は、ＶｏＩＰ（Ｖｏｉｃｅ  ｏｖｅｒ  ＩＰ（Ｉｎｔｅｒｎｅｔ  Ｐｒｏｔｏｃｏｌ）により他の他のＩＰ端末装置（たとえば、図１の通信相手装置３１）と音声通話をすることができる。
【００３８】
ＶｏＩＰでは、呼制御はＳＩＰ（Ｓｅｓｓｉｏｎ  Ｉｎｉｔｉａｔｉｏｎ  Ｐｒｏｔｏｃｏｌ：セッション初期化プロトコル）により行うことができる。ＳＩＰは、マルチメディアセッションの確立、維持、終了を行うためのシグナリング制御プロトコルである。本発明では、電話番号情報は、ＳＩＰのメッセージヘッダー等に埋め込むことができる。
【００３９】
なお、本発明ではＨ．３２３、ＨＴＴＰや、他の独自のプロトコルにより本発明の実施は可能である。Ｈ．３２３は、ＩＴＵが制定した、ＩＰネットワーク上で音声や映像を通信するためのプロトコル体系であり、ＳＩＰと連動して動作することもできる。
【００４０】
また、上記の例では、電話番号は、ＳＩＰ等の制御用ＩＰパケットに埋め込まれているとしているが、データ用ＩＰパケット、音声データ用ＶｏＩＰパケットに埋め込まれていてもよい。
【００４１】
さらに、上記の例では、送受信手段１４は、ＶｏＩＰにより音声の送受信を行っているが、本発明はＶｏＩＰを使用しないインターネット電話にも適用できる。
【００４２】
図２は、本発明のＩＰ端末装置の具体的な一実施形態を示すＩＰ電話機のブロック図である。なお、本発明のＩＰ端末装置には、ＩＰ電話機の他、ＩＰプロトコルを扱うことができる他の装置（たとえば、インターネットファックス、ＩＰ端末、ＨＴＴＰ用端末）が含まれる。
【００４３】
図２において、ＩＰ電話機１００は、ＣＰＵ（中央処理装置）１０１，ＲＯＭ（リード・オンリー・メモリ）１０２，ＲＡＭ（ランダム・アクセス・メモリ）１０３，操作入力・表示部１０４，ハンドセット１０５，通話回路１０６，ＩＰパケット手段１０７，回線接続Ｉ／Ｆ手段１０８とからなる。
【００４４】
図２において、ＣＰＵ１０１は、実行プログラムをＲＯＭ１０２から読み出し、その実行プログラムに含まれる命令を逐次解釈して装置全体の制御を行う。
【００４５】
ＲＯＭ１０２は、上述した実行プログラム等が格納されている。ＲＡＭ１０３には、制御に必要なワークエリアが形成されるともに、保存パラメータやそのほか制御に必要な種々のパラメータや管理情報等を記憶するものである。
【００４６】
操作入力・表示部１０４は、各種の操作キーと操作ガイダンス等を表示する表示器からなり、オペレータが装置を操作する。ハンドセット１０５は、音声通話をするいわゆる受話器であり、音声を出力するスピーカや音声を入力するマイク等から構成される。
【００４７】
通話回路１０６は、マイク等から入力された音声情報を、後述するＶｏＩＰ手段１０７２に送出し、ＶｏＩＰ手段１０７２から入力された音声情報をスピーカ等に出力する。また、音声情報を増幅したりあるいは減衰することにより音量を調整したり、音声情報の周波数特性を変化させることにより音質を良くしたりする回路も含まれているのが一般的である。また、送話器から受話器への音の回り込みを制御するいわゆる側音制御もこの部分で行うのが一般的である。
【００４８】
ＩＰパケット手段１０７は、制御ＩＰ手段１０７１とＶｏＩＰ手段１０７２とからなり、呼制御やその他の制御用のＩＰパケットを組立・分解を行う。ＶｏＩＰ手段１０７２は、通話回路から送られてきたアナログの音声情報をデジタルデータに変換し、さらに必要であれば符号化圧縮する。次に、音声情報データを送信用のＩＰパケットに埋め込み、順次回線接続Ｉ／Ｆ手段に送り出す。また、回線接続Ｉ／Ｆ手段から入力される受信用のＩＰパケットから音声情報データを取り出し、必要であれば復号伸張し、さらにデジタルの音声情報データをアナログの音声情報に変換し、通話回路に送出する。ＩＰパケット手段１０７は、制御ＩＰ手段１０７１やＶｏＩＰ手段１０７２の他に、制御用ＩＰパケットとＶｏＩＰパケットを回線接続Ｉ／Ｆ１０８に送り出す役目を果たす。
【００４９】
回線接続Ｉ／Ｆ１０８は、ＩＰパケット手段１０７から入力される送信用ＩＰパケットを通信回線５００に送出する一方、通信回線５００から入力される受信用パケットをＩＰパケット手段１０７に送出する。通信回線５００としてＮＴＴ等の通信事業者が供給している一般の電話網を使用する場合には、デジタル信号とアナログ信号を相互に変換する、ＸＤＳＬモデムが回線接続Ｉ／Ｆ１０８に含まれる。また、通信回線５００がＬＡＮ等であれば回線接続Ｉ／Ｆ１０８は、ＬＡＮ用のＩ／Ｆ（イーサネット、トークンリング、ＦＴＴＨ等）である。
【００５０】
図３は、本発明のＩＰ端末装置１の具他的な他の実施形態を示すＩＰアダプタのブロック図である。図３において、ＩＰアダプタ２は、ハンドセット１０５と通話回路１０６に代えて、アナログ電話Ｉ／Ｆ１０９がある以外は図２のＩＰ端末装置１と同じである。アナログ電話Ｉ／Ｆ１０９は、アナログ電話機と接続し音声情報の入出力を行う。
【００５１】
図４は、図２のＩＰ電話機１００の受信の際の動作の一例を示すフローチャートである。自通信端末（ＩＰ電話機１００）が電話番号を入力すると（Ｓ１００）、ＲＯＭ１０２に格納されている電話番号サーチプログラムは、電話番号をＲＡＭ１０３の電子電話帳（番号とプロバイダの対応テーブル）をサーチする（Ｓ１１０）。
【００５２】
サーチした結果、通信相手装置の電話番号がなければ（Ｓ１２０の「ＮＯ」）報知処理を終えるが（「エンド」）、通信相手装置の電話番号があれば（Ｓ１２０の「ＹＥＳ」）、プロバイダの名称・図形、機能の名称・図形等の表示等を行う（Ｓ１３０）。
【００５３】
図５は、プロバイダで利用できる機能の名称・図形を表示し、あるいはプロバイダのグループ名、そのプロバイダで利用できる機能の名称・図形を表示する処理を示すフローチャートである。自通信端末（ＩＰ電話機１００）が電話番号を入力すると（Ｓ２００）、ＲＯＭ１０２に格納されている電話番号サーチプログラムは、電話番号をＲＡＭ１０３の電子電話帳（番号とプロバイダの対応テーブル）をサーチする（Ｓ２１０）。
【００５４】
サーチした結果、通信相手装置の電話番号がなければ（Ｓ２２０の「ＮＯ」）報知処理を終えるが（「エンド」）、通信相手装置の電話番号があれば（Ｓ２２０の「ＹＥＳ」）、プロバイダの名称・図形、機能の名称・図形等の表示等を行う（Ｓ２３０）とともに、プロバイダが属するグループの名称・図形、機能の名称・図形等の表示等を行う（Ｓ２４０）。
【００５５】
プロバイダの名称・図形、機能の名称・図形等とは、それに相当する名称・略称・愛称・符号・図形・商号・商標・サービスマーク等である。この表示とともに、あるいはこの表示に代えて、当該プロバイダの名称・図形、機能の名称・図形等をスピーカから発生させることもできる。また、プロバイダの機能には、当該プロバイダで利用できるサービス・機能（留守番電話，転送，着信拒否，通話料金表示，いわゆる着メロダウンロード，キャッチホン，複数電話番号，ファックスサービス等）がある。プロバイダで利用できるサービス・機能は、上記のほかに、同じプロバイダあるいは同じグループのプロバイダでなければ利用できないもの、たとえばナンバーディスプレー、ネームディスプレーがある。また、上記したサービスや機能には、「通話料金が無料」「通話料が安い」「今の通話品質は良い」「通信相手装置がある地域の天気は雨」などの情報や状態の表示も含まれる。
【００５６】
さらに、複数のサービス・機能のうち、プロバイダやそのグループが異なっていると使用できない機能を、プロバイダやそのグループが一致したときに使用できるようにする（機能アクティブ化を行う）こともできる。具体的には、ＣＰＵ１０１が、プロバイダやそのグループが一致すると判断した時に、お互いの装置に使用できるようになった機能の情報をＩＰパケットに載せてやり取りすることで、上記機能のアクティブ化を実現できる。
【００５７】
図６は、図２のＩＰ電話機１００の送信の際の動作の一例を示すフローチャートである。通信相手装置（図２には示していない）が自通信端末（ＩＰ電話機１００）に対して発呼すると、接続されている通信網５００から呼制御用のＩＰパケットが到来し（着呼）（Ｓ３００）、ＩＰ電話機１００はそれを検出して呼の制御を行う。ＲＯＭ１０２に格納されている電話番号サーチプログラムは、たとえばＣＰＵ１０１がＶｏＩＰ手段１０７２が受信した制御用ＩＰパケットに通信相手装置の電話番号が埋め込まれているかどうかチェック、電話番号が埋め込まれていれば、当該電話番号をＲＡＭ１０３の電子電話帳（番号とプロバイダの対応テーブル）をサーチする（Ｓ３１０）。
【００５８】
このサーチした結果、通信相手装置の電話番号がなければ（Ｓ３２０の「ＮＯ」）報知処理を終えるが（「エンド」）、通信相手装置の電話番号があれば（Ｓ３２０の「ＹＥＳ」）、通信相手装置の電話番号がプロバイダの電話番号か否かをチェックする（Ｓ３３０）。Ｓ３３０で、通信相手装置の電話番号がプロバイダの電話番号でなければ（Ｓ３３０の「ＮＯ」）報知処理を終えるが（「エンド」）、通信相手装置の電話番号がプロバイダの電話番号であれば（Ｓ３３０の「ＹＥＳ」）、プロバイダの名称・図形、機能の名称・図形等の表示等を行う（Ｓ３４０）。
【００５９】
図７は、通信相手装置のプロバイダが自通信端末（ＩＰ電話機１００）のプロバイダと一致する場合において、当該プロバイダで利用できる機能の名称・図形を表示し、あるいはプロバイダは一致しないが通信相手装置のプロバイダが特定のグループに属するときにそのグループ名、そのプロバイダで利用できる機能の名称・図形を表示する処理を示すフローチャートである。
【００６０】
通信相手装置（図２には示していない）が自通信端末（ＩＰ電話機１００）に対して発呼すると、接続されている通信網５００から呼制御用のＩＰパケットが到来し（着呼）（Ｓ４００）、ＩＰ電話機１００はそれを検出して呼の制御を行う。ＲＯＭ１０２に格納されている電話番号サーチプログラムは、たとえばＶｏＩＰ手段１０７２が受信した制御用ＩＰパケットに通信相手装置の電話番号が埋め込まれているかどうかチェック、電話番号が埋め込まれていれば、当該電話番号をＲＡＭ１０３の電子電話帳（番号とプロバイダの対応テーブル）をサーチする（Ｓ４１０）。
【００６１】
このサーチの結果、通信相手装置の電話番号がなければ（Ｓ４２０の「ＮＯ」）報知処理を終えるが（「エンド」）、通信相手装置の電話番号があれば（Ｓ４２０の「ＹＥＳ」）、通信相手装置の電話番号がプロバイダの電話番号か否かをチェックする（Ｓ４３０）。Ｓ４３０で、通信相手装置の電話番号が自通信端末のプロバイダと一致していれば（Ｓ４３０の「ＮＯ」）、プロバイダの名称・図形、機能の名称・図形等の表示等を行い（Ｓ４４０）処理を終了し（「ＥＮＤ」）、一致していなければ当該プロバイダの電話番号が所定グループの電話番号でと一致するか否かを判断する（Ｓ４５０）。Ｓ４５０において、どのグループにも一致しないとき（Ｓ４５０の「ＮＯ」）は処理を終了し（「ＥＮＤ」）、一致するとき（Ｓ４５０の「ＹＥＳ」）はプロバイダのグループ名、利用できる機能の名称・図形を表示し（Ｓ４６０）、処理を終了する（「ＥＮＤ」）。
【００６２】
図８は、通信相手装置のプロバイダが自通信端末（ＩＰ電話機１００）のプロバイダと一致する場合と、プロバイダは一致しないが通信相手装置のプロバイダが特定のグループに属するときと、鳴り分けを行う処理を示すフローチャートである。
【００６３】
通信相手装置（図２には示していない）が自通信端末（ＩＰ電話機１００）に対して発呼すると、接続されている通信網５００から呼制御用のＩＰパケットが到来し（着呼）（Ｓ５００）、ＩＰ電話機１００はそれを検出して呼の制御を行う。ＲＯＭ１０２に格納されている電話番号サーチプログラムは、たとえばＶｏＩＰ手段１０７２が受信した制御用ＩＰパケットに通信相手装置の電話番号が埋め込まれているかどうかチェック、電話番号が埋め込まれていれば、当該電話番号をＲＡＭ１０３の電子電話帳（番号とプロバイダの対応テーブル）をサーチする（Ｓ５１０）。
【００６４】
このサーチの結果、通信相手装置の電話番号がなければ（Ｓ５２０の「ＮＯ」）報知処理を終えるが（「エンド」）、通信相手装置の電話番号があれば（Ｓ５２０の「ＹＥＳ」）、通信相手装置の電話番号がプロバイダの電話番号か否かをチェックする（Ｓ５３０）。Ｓ５３０で、通信相手装置の電話番号が自通信端末のプロバイダと一致していれば（Ｓ５３０の「ＮＯ」）、オフフックされるまで特定の着信音Ａによる鳴動を行い（Ｓ５４０）処理を終了し（「ＥＮＤ」）、一致していなければ当該プロバイダの電話番号が所定グループの電話番号でと一致するか否かを判断する（Ｓ５５０）。Ｓ５５０において、どのグループにも一致しないとき（Ｓ５５０の「ＮＯ」）は処理を終了し（「ＥＮＤ」）、一致するとき（Ｓ５５０の「ＹＥＳ」）はオフフックされるまで特定の着信音Ｂによる鳴動を行い（Ｓ５６０）処理を終了する（「ＥＮＤ」）。
【００６５】
なお、通信相手装置のプロバイダが自通信端末（ＩＰ電話機１００）のプロバイダと一致しない場合、プロバイダは一致しないが通信相手装置のプロバイダが特定のグループに属さない場合には、通常の着信音でもの鳴動を行う。
【００６６】
図９は、通信相手装置のプロバイダが自通信端末（ＩＰ電話機１００）のプロバイダと一致しない場合や、さらに通信相手装置のプロバイダが特定のグループに属さないときの報知処理を示すフローチャートである。
【００６７】
通信相手装置（図２には示していない）が自通信端末（ＩＰ電話機１００）に対して発呼すると、接続されている通信網５００から呼制御用のＩＰパケットが到来し（着呼）（Ｓ６００）、ＩＰ電話機１００はそれを検出して呼の制御を行う。ＲＯＭ１０２に格納されている電話番号サーチプログラムは、たとえばＶｏＩＰ手段１０７２が受信した制御用ＩＰパケットに通信相手装置の電話番号が埋め込まれているかどうかチェック、電話番号が埋め込まれていれば、当該電話番号をＲＡＭ１０３の電子電話帳（番号とプロバイダの対応テーブル）をサーチする（Ｓ６１０）。
【００６８】
このサーチした結果、通信相手装置の電話番号がなければ（Ｓ６２０の「ＮＯ」）、該当するプロバイダが記憶されていない旨を表示し（Ｓ６７０）報知処理を終えるが（「エンド」）、通信相手装置の電話番号があれば（Ｓ６２０の「ＹＥＳ」）、通信相手装置の電話番号がプロバイダの電話番号か否かをチェックする（Ｓ６３０）。Ｓ６３０で、通信相手装置の電話番号がプロバイダの電話番号であれば（Ｓ６３０の「ＹＥＳ」）、プロバイダの名称・図形、機能の名称・図形等の表示等を行う（Ｓ６４０）。Ｓ６３０で、通信相手装置の電話番号がプロバイダの電話番号でなければ（Ｓ６３０の「ＮＯ」）、通信相手装置の電話番号が所定グループのプロバイダを示す電話番号か否かをチェックし（Ｓ６５０）、所定グループのプロバイダの電話番号でないときは、通信相手装置のプロバイダと自通信端末のプロバイダとは一致しない旨を表示し（Ｓ６７０）報知処理を終える（「エンド」）。Ｓ６５０において、通信相手装置の電話番号が所定グループのプロバイダを示す電話番号であるときは、プロバイダグループの名称・図形、機能の名称・図形等の表示等を行い（Ｓ６６０）、通信相手装置のプロバイダと自通信端末のプロバイダとは一致しない旨を表示する（Ｓ６７０）。
【００６９】
【発明の効果】
本発明によれば、相手端末装置とが共通に利用できるサービスや機能、共通には利用できないサービスや機能を発呼時、着信時等において確認できる。
【図面の簡単な説明】
【図１】本発明のＩＰ端末装置の基本的構成を示すブロック図である。
【図２】本発明のＩＰ端末装置の具体的な一実施形態を示すＩＰ電話機のブロック図である。
【図３】本発明のＩＰ端末装置の他の実施形態を示すＩＰアダプタのブロック図である。
【図４】図２のＩＰ電話機の発信の際の動作の一例を示すフローチャートである。
【図５】図２のＩＰ電話機の発信の際の動作の他の例を示すフローチャートである。
【図６】図２のＩＰ電話機の着信の際の動作の一例を示すフローチャートである。
【図７】図２のＩＰ電話機の着信の際の動作の他の例を示すフローチャートである。
【図８】図２のＩＰ電話機の着信の際の動作の他の例を示すフローチャートである。
【図９】図２のＩＰ電話機の着信の際の動作の他の例を示すフローチャートである。
【符号の説明】
１  ＩＰ端末装置
１１  プロバイダ情報記憶手段
１２  電話番号サーチ手段
１３  プロバイダ情報報知手段
１４  送受信手段
３１，３２  通信相手装置
４１，４２  プロバイダ
１００  ＩＰ電話機
１０１  ＣＰＵ
１０２  ＲＯＭ
１０３  ＲＡＭ
１０４  操作入力・表示部
１０５  ハンドセット
１０６  通話回路
１０８  回線接続Ｉ／Ｆ
５００  通信回線
６００  インターネット
１０７１制御ＩＰ手段
１０７２  ＶｏＩＰ手段
【図１】
2004289318.tif 000003
【図２】
2004289318.tif 000004
【図３】
2004289318.tif 000005
【図４】
2004289318.tif 000006
【図５】
2004289318.tif 000007
【図６】
2004289318.tif 000008
【図７】
2004289318.tif 000009
【図８】
2004289318.tif 000010
【図９】
2004289318.tif 000011